(57)【要約】  本発明は、加熱室内に挿入されてその内部で移動することが可能なように設計されている、スクレーパフレーム（２０）と、スクレーパフレームが移動するときに、スクレーパ要素によって、残留物が加熱室の少なくとも側壁および／または天井において除去され得るようにスクレーパフレーム上に配置された、少なくとも１つのスクレーパ要素（３０、３１、３２）とを含む、炉の、特に焼結炉の加熱室の残留物を除去するための装置（１０）に関する。この装置を用いると、実質的に製造の過程を害することなく、単純で効果的なやり方で、加熱室内の堆積物を除去することが可能である。
2013504742.tif 000002
【特許請求の範囲】
【請求項１】
炉の、特に焼結炉の加熱室の残留物を除去するための装置であって、加熱室内に挿入され、内部で移動させられることが可能な、スクレーパフレーム（２０）と、スクレーパフレーム（２０）が移動させられるときに、スクレーパ要素（３０、３１、３２）によって、少なくとも加熱室の側壁および／または天井において残留物が除去されるように、スクレーパフレーム（２０）上に配置された、少なくとも１つのスクレーパ要素（３０、３１、３２）と、を含む装置。
【請求項２】
スクレーパフレーム（２０）は、炉の運搬要素による装置（１０）の運搬のために押し板（２６）上に取り付けられることが可能なように設計されており、したがって加熱室内で移動可能であることを特徴とする、請求項１に記載の装置。
【請求項３】
スクレーパフレーム（２０）が、２つの側壁要素（２１、２２）、後壁要素（２３）、および上部要素（２４）を含む箱要素として設計され、押し板（２６）が床要素を形成することを特徴とする、請求項１または２に記載の装置。
【請求項４】
箱要素（２０）が、箱要素の使用時に提供される前側（２８）に、箱要素（２０）内に残留物を取り込むための開口部（４０）を有し、開口部が好ましくは前側（２８）全体にわたって延在することを特徴とする、請求項１から３のいずれか一項に記載の装置。
【請求項５】
箱要素（２０）の前側（２８）にあり、これを超えて加熱室の側壁および／または天井の方向に突き出しているスクレーパ要素（３０、３１、３２）が、少なくとも１つの側壁要素（２１、２２）および／または上部要素（２４）上に配置されていることを特徴とする、請求項１から４のいずれか一項に記載の装置。
【請求項６】
スクレーパ要素（３０、３１、３２）が、角度（α）で、好ましくは０°から２０°の角度（α）で、特に好ましくは５°から１５°の角度で、側壁要素（２１、２２）および／または上部要素（２４）を超えて突き出ることを特徴とする、請求項１から５のいずれか一項に記載の装置。
【請求項７】
スクレーパ要素（３０、３１、３２）が、側壁要素（２１、２２）および／または上部要素（２４）の前面（２１’、２２’、２４’）の斜角として設計され、斜角は開口部（４０）の開口断面が拡大されるように続いていることを特徴とする、請求項１から６のいずれか一項に記載の装置。
【請求項８】
斜角が５°から５０°の角度（β）、好ましくは３０°または４５°の角度を有することを特徴とする、請求項１から７のいずれか一項、特に請求項７に記載の装置。
【請求項９】
スクレーパ要素（３０、３１、３２）が、側壁要素（２１、２２）および／または上部要素（２４）上の切刃としてその全長にわたって延在することを特徴とする、請求項１から８のいずれか一項に記載の装置。
【請求項１０】
側壁要素（２１、２２）が、少なくとも箱要素（２０）の前側（２８）で、押し板（２６）から上部要素（２４）に向かう方向にテーパ状となるように設計されることを特徴とする、請求項１から９のいずれか一項に記載の装置。
【請求項１１】
上部要素（２４）が、残留物の箱要素（２０）内への取り込みのため、少なくとも１つの開口部（４１、４２）を上側に有することを特徴とする、請求項１から１０のいずれか一項に記載の装置。
【請求項１２】
箱要素（２０）が、スクレーパ要素（３０、３１、３２）が加熱室の側壁および／または天井と接触させられることが可能なように、その外部形状において少なくとも部分的に加熱室の内部形状と実質的に対応していることを特徴とする、請求項１から１１のいずれか一項に記載の装置。
【請求項１３】
押し板（２６）が、箱要素（２０）の反対側を向いている下側に、炉の運搬要素の案内要素上に装置（１０）を載置するための溝（２７）を有することを特徴とする、請求項１から１２のいずれか一項に記載の装置。
【請求項１４】
箱要素（２０）およびスクレーパ要素（３０、３１、３２）が黒鉛で作られていることを特徴とする、請求項１から１３のいずれか一項に記載の装置。
【請求項１５】
スクレーパフレーム（２０）は、残留物の除去中に加熱室内で詰まりが発生した場合に装置（１０）が破壊されることが可能なように、側壁要素（２１、２２）のうちの１つに、後壁要素（２３）上に、分割要素（２５）上に、および／または上部要素（２４）に、少なくとも１つの所定の破壊点を有することを特徴とする、請求項１から１４のいずれか一項に記載の装置。
【発明の詳細な説明】
【技術分野】
【０００１】
本発明は、炉の、特に焼結炉の加熱室または充填室の残留物を、除去するための装置に関する。
【背景技術】
【０００２】
成形部品の焼結は、具体的には連続生産のため、好ましくは、たとえば加熱室の炭素ライニングを備える抵抗加熱または誘導加熱炉などの連続炉内で、行われる。このため、たとえば再結晶炭化ケイ素（ＲＳｉＣ）ベースのディーゼル粒子フィルタは、このような炉内でおよそ１９００℃から２４００℃で焼結される。焼結されるべき製品は、いわゆる押し板に載せられて炉内を押し進められることが可能である。
【０００３】
材料と共に導入される焼結助剤および不純物は、焼結プロセスの間に蒸発する。典型的な蒸発生成物は、アルカリおよび二酸化ケイ素（ＳｉＯ２）である。炉内のガス配管に応じて、蒸発生成物は、炉から排出されるか、または連続炉の場合のように、加熱または冷却ゾーンの方向に押し流される。
【０００４】
連続焼結炉において、一貫した温度プロファイルが炉の長さ全体にわたって展開される。結果的に、新しい相の凝結および形成が、凝結温度または反応温度の領域内で、１つのゾーン内に集中して発生する。それぞれの凝結温度が超過されると、不純物の堆積が発生する。加えて、たとえばＳｉＯ２などの蒸発生成物は、炉の黒鉛ライニングと反応して炭化ケイ素を形成する可能性があり、結果的に黒鉛ライニング上で新しい相の形成を通じて外皮を形成する。
【０００５】
堆積物の形成は、炉の自由断面を著しく減少させ、炉内における充填物、すなわち製品のスムーズな搬送は、もはや保証されなくなる。
【発明の概要】
【発明が解決しようとする課題】
【０００６】
現在まで、堆積物は、加熱室または充填室から手動で掻き取られており、長時間にわたる炉の停止時間が許容されなければならない。このため、炉の温度を下げて炉を空にすることが、不可欠である。
【０００７】
本発明の目的は、実質的に製造の過程を害することなく、単純で効果的なやり方で、加熱室または充填室内の堆積物が除去されることが可能な装置を提供することである。
【課題を解決するための手段】
【０００８】
この目的は、請求項１による装置を通じて達成される。
【０００９】
具体的には、目的は、加熱室内に挿入されてその内部で移動することが可能なように設計されている、スクレーパフレームと、スクレーパフレームまたは装置が移動するときに、スクレーパ要素によって、残留物が加熱室の少なくとも側壁および／または天井において除去され得るようにスクレーパフレーム上に配置された、少なくとも１つのスクレーパ要素とを含む、炉の、特に焼結炉の加熱室または充填室の残留物を除去するための装置を通じて、達成される。
【００１０】
本発明の本質的な態様は、焼結すべき製品、すなわち実際の充填物と同様に、装置（スクレーパ）は、装置が多額の費用をかけずに加熱室内を押し進められることが可能なように、移動可能であることからなる。これは個別の経路において行われるが、しかし場合により、焼結プロセスまたはそのような処理の間、充填物と一緒であってもよい。
【００１１】
スクレーパ要素を備える装置（すなわちスクレーパ）は、処理されるべき加熱室表面に沿ってスクレーパ要素が通過するという点において、望ましくない堆積物を確実に除去する。このため、困難で時間のかかる洗浄手順は回避され得る。装置によって、必要なクリアランスゾーンは定期的に一掃され、結果的に炉内を通る充填物のスムーズな搬送となる。さらに、装置は、加熱室内の雰囲気を浄化するための物質で満たされることが可能である。このため、黒鉛フェルト廃棄物は炉内に導入される可能性があり、二酸化ケイ素に含まれる酸素を結合および変換して、一酸化炭素（ＣＯ）を形成する。
【００１２】
第一の好適な実施形態においてスクレーパフレームは、炉の運搬要素による装置の運搬のために押し板上に取り付けられることが可能なように設計されており、したがって加熱室内において移動可能である。押し板は好ましくは、炉内を通じて充填物を押し進めるために使用されるものに対応する。このため、炉の運搬手段も装置上で使用されることが可能であり、洗浄費用が最低限に抑えられる。通例、運搬手段として案内路が設けられる。
【００１３】
別の好適な実施形態において、スクレーパフレームは、２つの側壁要素、後壁要素、および上部要素を含む、箱要素として設計される。従来の充填物の搬送にも使用される上述の押し板は、ここではスクレーパフレームの床要素の役割を果たす。スクレーパフレームの寸法は好ましくは、押し板の寸法にほぼ対応するように選択される。こうして、一種の「灰器」が提供される。
【００１４】
原理的には、当然ながら、自身の床要素を備える箱要素を設計し、その後配置全体を押し板上に取り付けることも、可能である。
【００１５】
箱要素は、箱要素の使用時に提供される前側に、箱要素の内部に残留物を取り込むための開口部を有しており、この開口部は好ましくは前側全体にわたって延在する。言い換えると、箱要素は好ましくは、掻き落とされた残留物が箱要素内に落ちることが可能なように、その前側が開口している。
【００１６】
一実施形態は、加熱室の側壁および／または天井の方向にこれを超えて突き出している、箱要素の前側のスクレーパ要素が、少なくとも１つの側壁要素および／または上部要素上に配置される（簡単に言うと：スクレーパ要素が外向きに突き出している）ことを、規定する。ここで、「前側」という用語は、押し方向における前方側を意味する。そこに配置されたスクレーパ要素はこうして、単純なやり方で加熱室の内壁と接触させられることが可能である。
【００１７】
スクレーパ要素は、加熱室または充填室の内壁の方向に、スクレーパフレームを超えて、または箱要素を超えて（すなわちその断面を超えて）、好ましくはおよそ５ｍｍだけ突き出している。言い換えると、スクレーパ要素を有する装置の領域は、加熱室の内壁の方向に湾曲しているか、または領域が側壁要素または上部要素に対してこの方向にずれている。
【００１８】
堆積物におけるスクレーパ要素の確実な係合を保証するために、スクレーパ要素は、たとえば側壁要素および／または上部要素を超えて、好ましくは０°から２０°の角度で、特に好ましくは５°から１５°の角度で、このように突き出している。このため、箱要素自体は、炉の壁と接触して歪曲することが防止されている。
【００１９】
好ましくは、スクレーパ要素は、側壁要素および／または上部要素の前面の斜角として設計され、斜角は、開口部の開口断面が拡大されるように続いている。斜角は、たとえば、スクレーパ要素が配置される側壁要素または上部要素に対して、５°から５０°の角度、好ましくは３０°または４５°の角度を有する。
【００２０】
本発明によれば、スクレーパ要素は好ましくは、側壁要素および／または上部要素上の切刃としてその全長にわたって延在することが、規定される。このため、壁の比較的大きい領域が対象となり得る。
【００２１】
炉の壁が１つの経路において可能な限り完璧に望ましくない堆積物を含まないようにするために、スクレーパ要素または切刃は、いずれの場合も各側壁要素上および上部要素上に有利に配置される。
【００２２】
装置の特に単純な製造方法のため、スクレーパ要素は、側壁要素および／または上部要素と一体に形成され、好ましくはスクレーパフレームまたは箱要素と同じ材料で作られる。
【００２３】
あるいは、箱要素上に実装可能な独立した部品としてスクレーパ要素を提供することも、可能である。スクレーパ要素はこのように、交換可能であって、様々な材料を用いて提供されることが可能である。
【００２４】
一実施形態において、箱要素の安定のため、側壁要素の間に、これらに対して実質的に平行に、分割要素が配置される。箱要素はこのように、たとえば２つの部屋に分割される。箱要素の寸法に応じて、複数の安定壁が設けられてもよい。
【００２５】
側壁要素は、少なくとも箱要素の前側で、押し板から上部要素に向かう方向にテーパ状となるように設計されることが可能である。言い換えると、上部要素は、押し板を部分的にのみ覆う（後退する）。このように設計された箱要素の開口部は、掻き取られた残留物が箱要素内の床要素（押し板）上に落ちる際の、取り込みを可能にする。
【００２６】
箱要素の内容物排出を容易にするために、一実施形態において、少なくとも１つの引き出し要素が、開口部を通じて箱要素内に挿入されることが可能である。引き出し要素はその後、押し板上に収まり、こうして残留物の箱要素内への取り込みを可能にする。箱要素からの残留物の除去のため、引き出し要素は好ましくは、スクレーパフレームまたは箱要素から完全に取り出され、空にされることが可能である。
【００２７】
箱要素が分割要素を備えて構成されている場合、引き出し要素は、いずれの場合も側壁と分割要素との間に配置されることが可能である。複数の分割要素については、複数の引き出し要素が相応に提供される。
【００２８】
上部要素もまた上側に、残留物の箱要素内への取り込みのため、少なくとも１つの開口部を有することができる。洗浄プロセスの間に装置上に落下する堆積物粒子はこのように、箱要素内に直接取り込まれることが可能である。
【００２９】
好ましくは、箱要素の個別の要素、すなわち側壁要素、後壁要素、上部要素、および分割要素は、ボルト、リベット、もしくは差し込み接続によって、または接着もしくは溶接接続などによって、互いに接続される。箱要素自体もその後同様に、これらの接続タイプのうちの１つによって、押し板上に取り付けられることが可能である。これにより、装置の高い安定性を保証する。
【００３０】
好ましくは、箱要素は、その外部形状において少なくとも部分的に加熱室の内部形状と実質的に対応するように、設計される。箱要素はこのように、実質的に立方体の形状で、通常充填物よりも幾分大きい寸法で、設計されることが可能である。１つまたは複数のスクレーパ要素は、加熱室の内壁まで正確に案内されることが可能である。
【００３１】
あるいは、箱要素は、前側から後壁要素に向かう方向にテーパ状となって、すなわち漏斗または台形の形状で、設計されることが可能である。この構成を用いて、スクレーパフレーム自体の歪曲が、確実に防止されることが可能である。
【００３２】
押し板は、箱要素の反対側に向いている下側に、炉の運搬要素の案内要素上に装置を載置するための溝を有する。装置は充填物のように炉内を案内されるように意図されているので、このために炉内に配置された運搬要素、すなわち、たとえば案内路またはコンベヤベルトが、使用されることが可能である。運搬要素上の装置の適切な位置決めは、溝に係合する案内要素によって実現される。
【００３３】
有利なことに、箱要素およびスクレーパ要素は黒鉛で作られている。スクレーパ要素が独立した部品として提供される場合には、これは異なる材料（たとえば、黒鉛よりも硬い材料）で作られてもよい。このため、スクレーパ要素（切断要素または切刃も）は、たとえば鋼などで作られて提供されることが可能であり、これはその後箱要素に取り付けられる。このために、ボルト接続（上述のタイプの接続参照）もまた、考えられるであろう。
【００３４】
好適な実施形態において、スクレーパフレームは、残留物の除去中に加熱室内で詰まりが発生した場合に装置が破壊されることが可能なように、側壁要素のうちの１つに、後壁要素上に、分割要素上に、および／または上部要素上に、少なくとも１つの所定の破壊点を有する。言い換えると、（１つまたは複数のスクレーパ要素が炉内残留物と係合している間に）特定の所定応力がスクレーパフレームまたは装置上に作用するかまたはこれが超過されるとすぐに、スクレーパフレームが崩壊し、炉内のフレームの詰まりが防止される。あるいは、洗浄プロセスまたは焼成プロセスが中断するか、または少なくとも妨害される。所定の破壊点は、たとえば、壁要素の壁厚を減少させる溝として、設けられることが可能である。
【００３５】
適切に、所定の破壊点を備えるスクレーパフレームを用いて、スクレーパフレームの破損部品の除去のための装置が使用される。言い換えると、破壊された「スクレーパ」が排除され得るように、残留物を除去するための装置の後ろで、いわゆる「エンプティプッシャ（ｅｍｐｔｙ  ｐｕｓｈｅｒ）」が、加熱室を通じて案内されなければならない。
【００３６】
本発明のその他の実施形態は、従属請求項に現れる。
【００３７】
以下において、本発明の例示的実施形態が、図面を参照して詳細に説明される。
【図面の簡単な説明】
【００３８】
【図１】本発明による装置の実施形態の斜視図である。
【図２】図１の環境の、別の斜視図である。
【図３】図２の実施形態の前面図である。
【図４】図１の実施形態の平面図である。
【図５】図２の線Ｖ−Ｖに沿った断面において示される、図１の実施形態の側面図である。
【図６】本発明による装置の別の実施形態の斜視図である。
【発明を実施するための形態】
【００３９】
以下の記載において、同一の、および同様に機能する部分には、同じ参照符号が使用される。
【００４０】
図１は、炉の、特に焼結炉の加熱室または充填室の残留物を除去するための、本発明による装置１０を斜視図にて示す。しかしながら装置は、その加熱室が定期的に洗浄されて処理工程から堆積物および残留物が排除されなければならない、全てのタイプの炉に適している。
【００４１】
装置は、炉を通じて案内され、その際に、加熱室の内壁、特に側壁および／または天井の堆積物を除去するために、提供される。（掻き取り）装置１０は、必要なクリアランスゾーンを定期的に一掃し、こうして炉内を通る充填物のスムーズな搬送を可能にする。この洗浄プロセスを可能な限り簡単にするために、「通常の」充填物のように炉内を通じて装置を駆動させ、このために炉内に位置する運搬手段（運搬要素、たとえば案内路、コンベヤベルトなど）を使用することが、規定されている。充填物は、たとえばその上に充填物が載置される、いわゆる押し板によって、炉内を通じて運搬または押し進められる。このために、押し板は一般的に、運搬要素の案内要素が係合する、充填物の反対側に向いている下側に、溝を有する。このため、案内路上の装置の位置は事前に決められている。
【００４２】
装置は、スクレーパフレーム２０、およびその上に配置されたスクレーパ要素３０、３１、３２を含む。スクレーパフレーム２０は、２つの側壁要素２１、２２、後壁要素２３、および上部要素２４から作られている。床要素２６がさらに設けられている。装置はこのように、前側（使用時の視線で定義される）が開口しているか、または開口部４０を有する、箱要素として設計されている。
【００４３】
上部要素２４は、部分的にのみ床要素２６と重複しており、すなわち床要素よりも幅が狭く設計されている。したがって、側壁要素２１、２２は、少なくとも装置の前側２８において、上部要素２４の方向に床要素２６から見たときに、テーパ状となっている。上部要素２４は、開口部４０が前側２８において拡大するように、床要素２６に対してこのように後退している。上部要素２４はまた、上側に（この場合は２つの）開口部４１、４２も有している。
【００４４】
床要素はここでは、実際の充填物に関して上述されたように、装置１０全体が単純な手段によって加熱室を通じて案内され得るように、押し板２６として提供される。
【００４５】
加熱室の内壁上の残留物を徹底的に掻き取る、すなわち除去する、箱要素２０上のスクレーパ要素３０、３１、３２は、側壁要素２１、２２および上部要素２４の両方に配置されている。スクレーパ要素３０、３１、３２はここでは、スクレーパフレームの側壁要素２１、２２の、または上部要素２４の延伸部として設計されており、（使用中に）加熱室の内壁の方向に、壁要素または上部要素を超えて突き出している。このために、スクレーパ要素を備える領域は（またはスクレーパ要素は）、壁要素２１、２２の側面に対しておよび上部要素２４に対して内壁の方向にずれており、または上部要素から認識できるように、この方向で上向きに湾曲もしくは傾斜して突き出している。この例示的実施形態において、箱要素２０の前側２８にある、壁要素２１、２２の、または上部要素２４の前面２１’、２２’、２４’は、すぐ上で記載されたように、外縁が、側壁要素２１、２２の側壁表面を超えて、または上部要素２４を超えてある程度（およそ５ｍｍ）突き出して、開口部４０の開口断面が拡大されるように、傾斜している。このため、加熱室内の箱要素自体の歪曲は、防止されることが可能である。
【００４６】
図１によって示される配置において、前面斜角は、およそ４５°の角度で（好ましくは５°から３０°の範囲でも）設計されており、原則的に、側壁要素２１、２２および上部要素２４の全長にわたって延在する切刃として、提供されている。
【００４７】
ここで示される実施形態において、スクレーパ要素３０、３１、３２は、側壁要素２１、２２と、または上部要素２４と一体に、形成されている。あるいは、その材料が堆積物のタイプに適合する別の切刃に取り付けられることが、可能であろう。切刃が交換可能なように装置を設計することも、可能であろう。このために、スクレーパ要素のための特殊解放可能取り付け手段が提供される必要があるであろう。
【００４８】
側壁要素２１、２２の間には、装置または箱要素２０を安定させるために、分割要素２５が側壁要素２１、２２と平行に配置されている。掻き取り装置１０のサイズに応じて、複数の分割部が設けられてもよいであろう。
【００４９】
すでに上記で記載されたように、床要素は、運搬中に加熱室内の堆積物が除去された状態で、箱要素２０の運搬のための押し板２６によって、形成される。箱要素２０の形状および対応するように設計された（前側の、上部要素内の）開口部４０、４１、４２に基づいて、堆積物は、箱要素２０内に落下し、それによって炉外に搬送されることが可能である。掻き取られた堆積物は、押し板２６上に蓄積することになる。
【００５０】
図２は、図１による装置１０の実施形態を示す。しかしながら、ここで、更なる詳細、すなわち引き出し要素５０、５１が示されている。箱要素２０の内容物排出を容易にするために、堆積物の収集器の役割を果たして押し板２６上に収まっている引き出し要素５０、５１は、箱要素内に挿入または押し入れられることが可能である。内容物排出のために、引き出し要素は箱要素２０から取り出されることが可能である。分割要素２５のため、２つの引き出し要素５０、５１がこの実施形態に設けられている。
【００５１】
箱要素２０は、スクレーパ要素３０、３１、３２が加熱室の側壁および天井と接触させられることが可能なように、その外部形状において少なくとも部分的に加熱室の内部形状と実質的に対応している。
【００５２】
装置１０は、（炉の洗浄中に）加熱室内で可能性のある詰まりが発生した場合に、スクレーパフレームまたは箱要素を破壊するのに役立つ、たとえば溝の形状の、所定の破壊点４３を、さらに有することができる。明確さのため、所定の破壊点は図１にのみ描かれており、所定の破壊点（たとえば溝）の可能な配置を示すために、破線として設けられている。
【００５３】
加熱室内の残留物における押し要素の係合の間に特定の応力が超過されるとすぐに、箱要素はこのために設けられた点において崩壊する。
【００５４】
炉から破損部品を除去するために、箱要素または装置１０の後ろで、いわゆる「エンプティプッシャ（ｅｍｐｔｙ  ｐｕｓｈｅｒ）」が、炉を通じて案内されることが可能である。これは破片を拾い上げるか、またはこれらを炉の前面から押し出すことができる。たとえば別の押し板が、エンプティプッシャの役割を果たすことも可能である。
【００５５】
図３は、図１による装置１０を前面図にて示す。ここで、２つの引き出し要素５０、５１を認識することが可能である。加えて、運搬手段の案内要素が係合する押し板２６の溝２７も、示されている。
【００５６】
図４は、配置１０を平面図にて示す。後退した上部要素２４上に、掻き取られた堆積物粒子の取り込みに役立つ２つの開口部４１、４２が、認識され得る。
【００５７】
図５は、図１による配置１０の側面図を示す。図３の線Ｖ−Ｖに沿った断面が示されている。箱要素２０の個別の部品は、ボルト接続６０によって互いに接続されている。箱要素２０もまた、押し板２６にボルト留めされている。接着接続、差し込み接続、リベット接続なども、考えられるであろう。
【００５８】
スクレーパ要素３２は、上部要素２４を超えて角度αで突き出しており、こうして堆積物を掻き取るために加熱室の天井と係合することができる。同時に、スクレーパ要素は、斜角βを有する。
【００５９】
図６は、本発明による装置１０の別の実施形態を示す。ここで、箱要素２０は、漏斗の形状で設計されており、前側２８から後壁要素２３に向かう方向にテーパ状となっている。好ましくは、上部要素２４が後壁要素２３の方向で（すなわち後ろに向かって）下方に傾斜するように、側壁要素２１、２２もまた後壁要素２３の方向にテーパ状となるように設計される。この構成を用いると、前面２８の切断または掻き取り刃３０、３１、３２は装置１０の最大断面を形成するので、加熱室内の箱要素２０の歪曲が防止されることが可能である。漏斗状の設計により、側壁要素２１、２２およびスクレーパ要素３０、３１または上部要素２４およびスクレーパ要素３２（ここでは互いに一体に設計されている）は、外部表面がいずれの場合も１つの平面を形成するように、箱要素２０の外部表面上で互いに同一平面となるように配置されることが可能である。スクレーパ要素３０、３１、３２は、斜角を付けることによって内側表面にのみ形成される。しかしながら、上述のように、スクレーパ要素は、壁要素または上部要素とある角度をなして配置され、壁および天井を超えて突き出ることが可能である。
【００６０】
本発明による装置１０を用いると、この場合には装置１０が、処理されるべき製品と同様に炉内を案内、特に押し進められることで、特に工業用炉の、炉のクリアランスゾーンまたは充填室は、高額の費用をかけずにきれいに保たれるかまたは一掃されることが可能である。洗浄費用はこうして効果的に低く抑えられることが可能である。スクレーパ要素は、スクレーパフレームから突き出ることが可能である（ずらされる、傾斜する、湾曲する、および／または単なる側壁の伸長部として設けられる）。さらに、スクレーパ要素は斜角を有することができ、および／またはスクレーパフレームの側壁は、押し方向で漏斗状に開口している。全ての組み合わせが可能である。
【符号の説明】
【００６１】
１０  炉の加熱室の残留物を除去するための装置
２０  スクレーパフレーム、箱要素
２１、２２  側壁要素
２１’、２２’、２４’  前面
２３  後壁要素
２４  上部要素
２５  分割要素
２６  押し板、床要素
２７  溝
２８  前側
３０，３１，３２  スクレーパ要素
４０，４１，４２  開口箱要素
４３  所定の破壊点
５０、５１  引き出し要素
６０  ボルト接続
α、β  角度
【図１】
2013504742.tif 000003
【図２】
2013504742.tif 000004
【図３】
2013504742.tif 000005
【図４】
2013504742.tif 000006
【図５】
2013504742.tif 000007
【図６】
2013504742.tif 000008
【国際調査報告】
2013504742.tif 000009
2013504742.tif 000010
2013504742.tif 000011
2013504742.tif 000012